(57)【要約】【課題】男児の小便のトイレットトレーニングができ、置き場所も不便でなく、経済的にもロスが少ない幼児用おまるを提供する。【解決手段】和式便器型おまる３が、連結部５を介して敷板７に支持され、倒立状態で小便器の姿に支持される。連結部５は、和式便器型の底部１９前方に形成された第１穴２７に、棒部材２９の一端が挿入され、他端が敷板７に形成される第２穴３１に挿入される。和式便器型おまる３は、大便用に使用されるときは、枠体９に嵌め込まれ係合される。枠体９は、和式便器型おまる３の前立て１１の周囲を支えるリング状部分３３の上部に握り棒１３が設けられ、リング状部分３３から後方へ連続して水平枠状部分３５が形成される。水平枠状部分３５は、和式便器型おまる３の底部水平周囲と外周囲２３を支える。係合部１５は、スライド凸部２５であり、枠体９の内壁に形成される凸状のスライドガイド４１に対し、下側に接触してスライドできる。【選択図】図１
2004344393.tif 000002
【特許請求の範囲】
【請求項１】
和式便器型おまると、この和式便器型おまるの底部前方に備えられる連結部と、この連結部を介して前記和式便器型おまるを倒立状態で小便器の姿に支持する敷板と、を有することを特徴とする幼児用おまる。
【請求項２】
前記連結部は、前記和式便器型の底部前方に形成された第１穴と、この第１穴に一端が挿入される棒部材と、この棒部材の他端が挿入される前記敷板に形成される第２穴と、を有して構成されることを特徴とする請求項１に記載の幼児用おまる。
【請求項３】
前記和式便器型おまるには、前立て上部に握り棒を設けた枠体に嵌め込んで係合するための係合部が形成されていることを特徴とする請求項１、又は２に記載の幼児用おまる。
【請求項４】
前記枠体は、前記和式便器型おまるの後端を後方へスライドして嵌め込めるように、前記和式便器型おまるの前立ての周囲を支えるリング状部分と、このリング状部分の上部に設けた握り棒と、前記リング状部分から後方へ連続して形成され前記和式便器型おまるの底部水平周囲と外周囲を支える水平枠状部分と、を有し、
前記係合部は、前記和式便器型おまるの外周囲に形成され、前記枠体の水平枠状部分の内壁に水平方向に形成される凸状のスライドガイドに対し、下側に接触してスライドできるスライド凸部であることを特徴とする請求項３に記載の幼児用おまる。
【発明の詳細な説明】
【０００１】
【発明の属する技術分野】
この発明は、幼児が大小便を排泄する際に用いるおまるの構造に関する。
【０００２】
【従来の技術】
従来のおまるは、幼児のトイレットトレーニングなどに用いられ、持ち運び可能な和式便器型であり、しゃがんで排泄を行うものであった。男児の場合には、男子用の小便器で小便を排泄できるようにするトレーニングも行うことが望ましいが、その場合には、大人用の洋式便器を使用し、洋式便器の前に台などを置き、その上に男児が立って用を足すものであった。
【０００３】
【発明が解決しようとする課題】
しかしながら、男児の小便のトイレットトレーニングに洋式便器を使用することは、幼児が高い台の上に立たねばならないことから不安定であり、また便器との間に距離があるので、小便がこぼれ不衛生であった。
また、本来は小便器型のおまるが存在することが望ましいが、そのような小便器型のおまるは存在しないか、また、仮に存在したとしても、従来の和式便器型のおまると二つを備えることは、置き場所にも不便であり、経済的にもロスであった。
【０００４】
この発明は、以上の課題を解決するためになされたもので、男児の小便のトイレットトレーニングができ、置き場所も不便でなく、経済的にもロスが少ない
幼児用おまるを提供することを目的とする。
【０００５】
【課題を解決するための手段】
以上の課題を解決するために、第一発明は、和式便器型おまると、この和式便器型おまるの底部前方に備えられる連結部と、この連結部を介して前記和式便器型おまるを倒立状態で小便器の姿に支持する敷板と、を有することを特徴とする幼児用おまるである。
【０００６】
第二発明は、前記連結部が、前記和式便器型の底部前方に形成された第１穴と、この第１穴に一端が挿入される棒部材と、この棒部材の他端が挿入される前記敷板に形成される第２穴と、を有して構成されることを特徴とする幼児用おまるである。
【０００７】
第三発明は、前記和式便器型おまるには、前立て上部に握り棒を設けた枠体に嵌め込んで係合するための係合部が形成されていることを特徴とする幼児用おまるである。
【０００８】
第四発明は、前記枠体は、前記和式便器型おまるの後端を後方へスライドしてはめ込めるように、前記和式便器型おまるの前立ての周囲を支えるリング状部分と、このリング状部分の上部に設けた握り棒と、前記リング状部分から後方へ連続して形成され前記和式便器型おまるの底部水平周囲と外周囲を支える水平枠状部分と、を有し、前記係合部は、前記和式便器型おまるの外周囲に形成され、前記枠体の水平枠状部分の内壁に水平方向に形成される凸状のスライドガイドに対し、下側に接触してスライドできるスライド凸部であることを特徴とする幼児用おまるである。
【０００９】
【発明の実施の形態】
この発明の実施の形態を、図１〜図４に示す。
（全体概略）
この実施形態の幼児用おまる１に使用される和式便器型おまる３は、底部前方に連結部５が備えられ、この連結部５を介して敷板７に支持される。この支持により、和式便器型おまる３を倒立状態で小便器の姿にできる。また、和式便器型おまる３は、大便用に使用されるときには、枠体９に嵌め込んで係合される。この枠体９により、前立て１１（きんかくし）上部に握り棒１３を設けた状態になる。和式便器型おまる３には、枠体９に嵌め込んで係合するための係合部１５が形成されている。
【００１０】
（和式便器型おまる３）
和式便器型おまる３は、通常の和式便器型のおまると同様に、略楕円状の縁部を有する器状の本体１７の前方上部に、前立て１１（きんかくし）が形成される。本体１７の底部１９は、水平周囲の縁に段部２１が形成される。この段部２１から外周囲２３へ立ち上がるところに、左右において、係合部１５としての後述するスライド凸部２５が形成される。
【００１１】
（連結部５）
連結部５は、和式便器型の底部１９前方に形成された第１穴２７と、この第１穴２７に一端が挿入される棒部材２９と、この棒部材２９の他端が挿入される敷板７に形成される第２穴３１と、を有して構成される。第一穴は、和式便器型の底部１９前方において、段部２１が２段に形成されたところ２１Ａに、前方へ向かって左右に並んで２つ形成される。棒部材２９は、二つの穴に対応して２本備えられる。
【００１２】
（敷板７）
敷板７は、第２穴３１を有し、和式便器型おまる３を安定して支持するのに十分な重量を有する。この重量は、敷板７の内部に重りや、あるいは注入自由な水を存在させて得るものであっても良い。第２穴３１は、底に孔が貫通し、敷板７の裏側に貫通して、不衛生な水がたまらない構造になっている。
（枠体９）
枠体９は、和式便器型おまる３の後端を後方へスライドしてはめ込めることができる構造になっている。すなわち、和式便器型おまる３の前立て１１の鉛直方向周囲に沿って覆った状態で支えるリング状部分３３と、このリング状部分３３から後方へ連続して形成される水平枠状部分３５からなる。リング状部分３３の上部には、Ｔ字状の握り棒１３が設けられる。
【００１３】
水平枠状部分３５は、和式便器型おまる３の前立て１１から後方における本体１７の底部１９を支える。すなわち、底部１９の水平周囲の縁の段部２１を、下側から平面部３７が支える。また、底部１９の外周囲２３を外側から鉛直部３９が支える。
【００１４】
（係合部１５）
係合部１５は、和式便器型おまる３の外周囲２３に形成されるスライド凸部２５と、枠体９の水平枠状部分３５の内壁に形成されるスライドガイド４１と、からなる。このスライドガイド４１は、水平枠状部分３５の左右の鉛直部３９の内壁に、それぞれ水平方向に長く凸状に形成される。このスライドガイド４１に対し、下側にスライド凸部２５が接触してスライドできる設けられる。
【００１５】
（他の実施形態）
以上の実施形態では、枠体９は和式便器型おまる３の後端を後方へスライドしてはめ込める構造になっていたが、他の実施形態では、和式便器型おまる３の底部１９を上から嵌め込める構造としても良い。
【００１６】
また、以上の実施形態では、和式便器型おまる３は、大便用に使用されるときには、枠体９に嵌め込んで係合されるものであったが、他の実施形態では、握り棒１３が必要なければ、枠体９を備えなくても良い。
また、以上の実施形態では、係合部１５は、枠体９のスライドガイド４１に対し、和式便器型おまる３のスライド凸部２５が、下側に接触してスライドし係合するものであったが、他の実施形態では、枠体９と和式便器型おまる３とを係合できるものであれば、どのようなものでもかまわない。
【００１７】
また、以上の実施形態では、棒部材２９は直線的（図１参照）であったが、他の実施形態では、屈曲したものであってもかまわない。その屈曲にあわせて、穴の方向を形成すればよい。
また、他の実施形態では、連結部５は、穴に棒部材２９が挿入される構造であったが、他の実施形態では、これに限らず他のいろいろな構造が採用できる。例えば、溝に板部材が挿入される構造であっても良い。
【００１８】
【発明の効果】
以上説明したように、第一、第二、第三、又は第四発明によれば、和式便器型おまるを、連結部を介して倒立状態で小便器の姿に敷板に支持することで、男児の小便のトイレットトレーニングができ、よって和式便器型おまると小便器型おまるを兼ねることができ置き場所も不便でなく、経済的にもロスが少ない
また、第二、第三、又は第四発明によれば、さらに、簡単な構造で連結部を得られ、製造コストを低く抑えられ、また衛生的である。
【００１９】
また、第三、又は第四発明によれば、さらに、和式便器型おまるを枠体に嵌め込んで係合することで、前立て上部に握り棒を設けたものにでき、排泄中に幼児が自分の体を支え安定させることができる。
また、第四発明によれば、さらに、簡単な構造で枠体、及び係合部を得られ、製造コストを低く抑えられ、また衛生的である。
【図面の簡単な説明】
【図１】この発明の一実施形態にかかる幼児用おまるにおいて、和式便器型おまるを小便器の姿で使用する様子を示す斜視図である。
【図２】図１に使用される和式便器型おまるを示すもので、（Ａ）は平面図、（Ｂ）は側面図、（Ｃ）は正面図である。
【図３】図１に使用される和式便器型おまるを大便用に使用されるときに、嵌め込まれ係合される枠体の斜視図である。
【図４】図３の枠体に和式便器型おまるを嵌め込んで係合した状態を示す斜視図である。
【符号の説明】
１…幼児用おまる、３…和式便器型おまる、５…連結部、７…敷板、９…枠体、１１…前立て、１３…棒、１５…係合部、１７…本体、１９…底部、２１…段部、２３…外周囲、２５…スライド凸部、２７…第１穴、２９…棒部材、３１…第２穴、３３…リング状部分、３５…水平枠状部分、３７…平面部、３９…鉛直部、４１…スライドガイド。
【図１】
2004344393.tif 000003
【図２】
2004344393.tif 000004
【図３】
2004344393.tif 000005
【図４】
2004344393.tif 000006